(57)【特許請求の範囲】
【請求項１】
少なくとも２つの送信点を制御する基地局と少なくとも１つの端末とを有する無線通信システムで用いる送信方法であって、
前記送信点の各々は、第１の信号をブロードキャストし、前記第１の信号は、所定の時間基準に対して時間領域内の個々の所定の位置を有する異なる前記送信点からブロードキャストされ、
前記端末は、前記送信点のうちの少なくとも１つからブロードキャストされる前記第１の信号を受信し、
前記端末により受信された前記第１の信号の時間領域内の個々の位置は、
前記送信点のうちの少なくとも１つが送信する第２の信号の時間及び／又は周波数領域内の位置、
送信点の１又は複数の特徴、
のうちの少なくとも１つに関連する情報を前記端末に提供し、
前記第２の信号の時間及び／又は周波数領域内の位置は、送信点に関連付けられた情報である、方法。
【請求項２】
前記所定の時間基準について、前記システムにおける送信は、それぞれ複数のサブフレームを有するフレームの単位で構造化され、時間領域内の個々の位置は、個々のサブフレームであり、各送信点は、異なるサブフレームで前記第１の信号を送信する、請求項１に記載の送信方法。
【請求項３】
前記送信点は、前記基地局により提供されるマクロセルに属し、前記所定の時間基準は、前記マクロセルのフレームタイミングである、請求項２に記載の送信方法。
【請求項４】
前記第１の信号は、同期信号である、請求項１乃至３のいずれか一項に記載の送信方法。
【請求項５】
前記送信点の各々からの前記第１の信号の時間領域内の個々の位置は、同じ送信点に関連する情報を提供する、請求項１乃至４のいずれか一項に記載の送信方法。
【請求項６】
前記送信点の各々からの前記第１の信号の時間領域内の個々の位置は、前記第２の信号として送信される参照信号に関連する情報を提供する、請求項１乃至５のいずれか一項に記載の送信方法。
【請求項７】
前記第２の信号として送信される参照信号に関連する情報は、前記参照信号のために用いられるリソースを示す、請求項６に記載の送信方法。
【請求項８】
前記第２の信号として送信される参照信号に関連する情報は、前記参照信号のゼロ電力パターンを示す、請求項６に記載の送信方法。
【請求項９】
前記情報は、前記送信点がブロードキャストチャネルを送信するか否か、
前記送信点から送信されるブロードキャストチャネルにより伝達されるブロードキャスト情報と、別の送信点に適用されるブロードキャスト情報との間の差、
前記端末から送信される参照信号のために用いられる前記送信点により期待されるサブフレーム構成、
のいずれかを示す、請求項１乃至８のいずれか一項に記載の送信方法。
【請求項１０】
少なくとも第１及び第２の前記送信点から送信される前記第１の信号の時間領域内の個々の位置の組合せは、
必ずしも前記端末が前記第１の信号を受信した送信点ではない第３の送信点が送信し得る信号の時間及び／又は周波数領域内の位置、
前記第３の送信点の１又は複数の特徴、
のうちの少なくとも１つに関連する情報を前記端末に提供する、請求項１乃至９のいずれか一項に記載の送信方法。
【請求項１１】
少なくとも２つの別の種類の第１の信号は、各送信点からブロードキャストされ、前記情報は、第１の信号の各種類の存在又は不存在により、並びに各種類の第１の信号の時間領域内の個々の位置により提供される、請求項１乃至１０のいずれか一項に記載の送信方法。
【請求項１２】
前記送信点の１又は複数の特徴に関連する情報は、前記端末からの送信を受信するための前記送信点における固有リソースの利用可能性を示す、請求項１乃至１１のいずれか一項に記載の送信方法。
【請求項１３】
前記基地局は、少なくとも１つのアンテナシステムを制御し、前記送信点は、同じアンテナシステムの異なるアンテナポートを有する、請求項１乃至１２のいずれか一項に記載の送信方法。
【請求項１４】
少なくとも２つの送信点を制御する基地局と少なくとも１つの端末とを有する無線通信システムであって、
前記送信点の各々は、第１の信号をブロードキャストするよう構成され、前記第１の信号は、所定の時間基準に対して個々の時間領域内の所定の位置を有する異なる前記送信点からブロードキャストされ、
前記端末は、前記送信点からブロードキャストされる前記第１の信号を受信するよう構成され、
前記端末により受信された前記第１の信号の時間領域内の個々の位置は、
前記送信点のうちの少なくとも１つが送信する第２の信号の時間及び／又は周波数領域内の位置、
送信点の１又は複数の特徴、
のうちの少なくとも１つに関連する情報を前記端末に提供し、
前記第２の信号の時間及び／又は周波数領域内の位置は、送信点に関連付けられた情報である、無線通信システム。
【請求項１５】
送信点の範囲内にある端末に信号を送信する少なくとも２つの前記送信点を制御する基地局であって、
前記基地局は、第１の信号をブロードキャストするために前記送信点を制御するよう構成され、前記第１の信号は、所定の時間基準に対して時間領域内の個々の所定の位置を有する異なる前記送信点からブロードキャストされ、
前記端末により受信される前記第１の信号の時間領域内の個々の位置は、
前記送信点のうちの少なくとも１つが送信する第２の信号の時間及び／又は周波数領域内の位置、
送信点の１又は複数の特徴、
のうちの少なくとも１つに関連する情報を前記端末に提供し、
前記第２の信号の時間及び／又は周波数領域内の位置は、送信点に関連付けられた情報である、基地局。
【請求項１６】
請求項１乃至１３のいずれか一項に記載の送信方法で用いられるよう構成される端末。
【発明の詳細な説明】
【技術分野】
【０００１】
本発明は、無線通信システム、例えば、３GPP  LTE（Long  Term  Evolution）及び３GPP  LTE-A（LTE-Advanced）標準化グループに従うシステムに関し、より詳細には、このようなシステムで用いられる同期信号に関する。
【背景技術】
【０００２】
基地局（ＢＳ）が該基地局の範囲内にあるユーザ機器（ＵＥ）（加入者局又は移動局とも称される）と通信する無線通信システムは、広く知られている。
【０００３】
１又は複数の基地局によりカバーされる地理的領域は一般的にセルと呼ばれ、標準的には多くのＢＳは適切な場所に設けられ、広範な地理的領域を事実上、隣接する及び／又は重なり合うセルでシームレスにカバーする。（本願明細書では、用語「システム」及び「ネットワーク」は、同意語として用いられる。）各ＢＳは、自身の利用可能な帯域幅を、自身が供するユーザ機器のために個々のリソース割り当てで分ける。ユーザ機器は、一般的にモバイルなので、セル間を移動し、隣接セルの基地局間のハンドオーバの必要を生じさせる。ユーザ機器は、同時に幾つかのセルの範囲内に存在するが（つまり、幾つかのセルからの信号を検出できるが）、最も単純な例では、ユーザ機器は１つの「サービング」セルと通信する。
【０００４】
基地局からＵＥへの通信方向はダウンリンク（ＤＬ）と称され、ＵＥから基地局への通信方向はアップリンク（ＵＬ）と称される。無線通信システムの２つのよく知られた伝送モードは、ダウンリンク及びアップリンク伝送が同じキャリア周波数で生じ時間的に分離されるＴＤＤ（Time  Division  Duplexing）と、異なるキャリア周波数を用いてＤＬとＵＬで同時に伝送が生じるＦＤＤ（Frequency  Division  Duplexing）である、
このようなシステムにおけるリソースは、時間領域と周波数領域の両方を有する。ＬＴＥでは、図１に示すように、時間領域は、シンボル時間又は「スロット」の単位を有する（ここで、「スロット」は通常、７シンボル時間の期間を有する）。時間領域におけるリソースは、フレームの単位で更に編成され、各フレームは複数の「サブフレーム」を有する。１つフレームの直後に他のフレームが連続的に続き、各フレームは、システムフレーム番号（ＳＦＮ）を与えられる。
【０００５】
図１に示すように、ＬＴＥのあるフレーム構造では、１０ｍｓフレームが、０．５ｍｓのサイズの２０個のスロットに等しく分けられる。１つのサブフレームは、２つの連続するスロットを有するので、１つの無線フレームは１０個のサブフレームを有する。ＦＤＤフレームは、同時に生じる１０個のアップリンクサブフレームと１０個のダウンリンクサブフレームとを有する。ＴＤＤでは、１０個のサブフレームはＵＬとＤＬとの間で共有され、負荷状況に依存して、ダウンリンク及びアップリンクへのサブフレームの様々な割り当てが可能である。したがって、サブフレームは、アップリンクサブフレーム又はダウンリンクサブフレームと称されても良い。
【０００６】
一方で、周波数領域は、サブキャリアの単位で分割される。ＵＥは、ｅＮｏｄｅＢのスケジューリング機能により、所定の時間量について特定数のサブキャリアを割り当てられる。このような割り当ては、通常、各サブフレームに適用される。リソースは、ダウンリンク及びアップリンク伝送の両方のために（つまり、ダウンリンクサブフレーム及びアップリンクサブフレームの両方のために）ＵＥに割り当てられる。
【０００７】
図２に示すように、各スロットの送信信号は、サブキャリア及び利用可能なＯＦＤＭ（Orthogonal  Frequency-Division  Multiplexing）シンボルのリソースグリッドにより記述される。リソースグリッド内の各要素は、リソースエレメントと称され、各リソースエレメントは１つのシンボルに対応する。各ダウンリンクスロットは期間Ｔｓｌｏｔを有し、短い又は長い循環プレフィックス（cyclic  prefix：ＣＰ）が用いられるかに依存して、スロット当たり７又は６個のシンボルを有する。周波数領域には合計ＮＢＷ個のサブキャリアが存在し、この数値はシステム帯域幅に依存する。１２個のサブキャリア×７又は６個のシンボルのブロックは、リソースブロックと称される。リソースブロックは、ＵＥにおけるリソースの割り当てのためのスケジューリングの基本単位である。
【０００８】
通常、基地局は、複数のアンテナを有するので、複数のデータストリームを同時に送信（又は受信）できる。同じ基地局により制御される物理的アンテナは、地理的に大きく分離され得るが、必ずしもその必要はない。ＵＥへの論理的に別個の通信パスを提供する物理的アンテナのグループは、アンテナポートと称される（及び仮想アンテナと考えられても良い）。アンテナポートは、任意の数の物理的アンテナを有しても良い。アンテナポートにより、閉ループＭＩＭＯ（multiple-input,multiple-output）のための（ＬＴＥ−Ａの）「伝送モード９」を含む種々の伝送モードが可能である。物理的アンテナの部分集合は、全て同じ地理的場所にあり、同じ基地局の制御下で別個の伝送点と考えられる。
【０００９】
データ及びシグナリングのための幾つかの「チャネル」は、ネットワーク内の種々の抽象化レベルで定められる。図３は、ＬＴＥで、各論理レベル、トランスポート層レベル及び物理層レベルで定められた一部のチャネル、並びにそれらの間のマッピングを示す。
【００１０】
物理レイヤレベルで、ダウンリンクで、ユーザデータはＰＤＳＣＨ（Physical  Downlink  Shared  Channel）で運ばれる。ダウンリンクには種々の制御チャネルが存在し、種々の目的でシグナリングを伝達する。特にＰＤＣＣＨ（Physical  Downlink  Control  Channel）は、例えば、基地局（ＬＴＥではｅＮｏｄｅＢと称される）から、該基地局により供されている個々のＵＥへスケジューリング情報を伝達するために用いられる。ＰＤＣＣＨは、スロットの最初のＯＦＤＭシンボルに位置する。
【００１１】
各基地局は、ＵＥが現在そのセルにより供されているか否かにかかわらず、多数のチャネル及び信号を、範囲内の全てのＵＥへブロードキャストする。本発明の目的のために特に興味深いのは、これらが、図３に示すＰＢＣＨ（Physical  Broadcast  Channel）、並びに以下に詳述するＰＳＳ（Primary  Synchronization  Signal）及びＳＳＳ（Secondary  Synchronization  Signal）を含むことである。ＰＢＣＨは、所謂ＭＩＢ（Master  Information  Block）を伝達する。ＭＩＢは、システム帯域幅、送信アンテナポート数、及びシステムフレーム番号を含むＵＥ基本情報を与える。
【００１２】
一方で、アップリンクでは、ユーザデータ及び特定のシグナリングデータはＰＵＳＣＨ（Physical  Uplink  Shared  Channel）で伝達される。また、制御チャネルは、ＣＱＩ（channel  quality  indication）レポート、及びスケジューリング要求を含むＵＥからのシグナリングを伝達するために用いられるＰＵＣＣＨ（Physical  Uplink  Control  Channel）を有する。
【００１３】
種々のデータ及びシグナリング目的のために定められた上述の「チャネル」は、ＵＥとそのサービング基地局との間の、フェージング及び干渉を受ける無線リンクを意味する「チャネル」と混同されるべきではない。ＵＥによるチャネル測定を実現するために、例えば図４に示すように、基地局は、リソースブロックに参照信号を挿入する。図４は、単一のアンテナポート伝送のためのダウンリンク参照信号構造を示す。図から分かるように、１つのサブフレームは、Ｒを付され、個々のＲＥの範囲内の間隔に挿入された参照信号を有する。種々の参照信号が可能であり、参照信号構造又はパターンは、より多くのアンテナポートが使用されるとき、変化する。
【００１４】
ＬＴＥでは（ＬＴＥ−Ａは除外して）、ダウンリンク参照信号は、セル固有（又は共通）参照信号（ＣＲＳ）、ＭＢＭＳ（本発明の目的とは関連しない）で用いられるＭＢＳＦＮ参照信号、及びユーザ機器固有参照信号（ＵＥ固有ＲＳ、復調参照信号ＤＭ−ＲＳとも称される）に分類できる。位置決め参照信号もある。
【００１５】
ＣＲＳは、セル内の全てのＵＥに送信され、チャネル推定のために用いられる。参照信号シーケンスは、セルアイデンティティを伝達する。セル固有周波数シフトは、参照信号シーケンスをサブキャリアにマッピングするとき、適用される。ＵＥ固有参照信号は、セル内の特定のＵＥ又は特定のＵＥグループにより受信される。ＵＥ固有参照信号は、主に、セル内の特定のＵＥ又は特定のＵＥグループにより、データ復調の目的で用いられる。
【００１６】
ＣＲＳは、セルがサポートする非ＭＢＳＦＮ伝送の中の全てのダウンリンクサブフレーム内で伝送され、ＵＥに割り当てられた固有時間／周波数リソースにかかわらず、ｅＮｏｄｅＢによりカバーされるセル範囲内の全てのＵＥによりアクセスできる。それらは、無線チャネルの特性、所謂チャネル状態情報又はＣＳＩを測定するために、ＵＥにより用いられる。一方で、ＤＭ−ＲＳは、セル内のＵＥのサブセットのみが受信するために割り当てられた特定のリソースブロック内でのみ、ｅＮｏｄｅＢにより伝送される。
【００１７】
仕様書のＲｅｌｅａｓｅ１０から、ＬＴＥはＬＴＥ−Ａ（LTE-Advanced）と称される。ＬＴＥ−Ａにおける新しい参照信号は、ＣＳＩ−ＲＳ（Channel  State  Information  Reference  Signal）である。干渉を最小化するために、ＣＳＩ−ＲＳは、幾つかのサブフレーム毎に１回送信されるだけである。Ｒｅｌｅａｓｅ１０仕様書では、ＣＳＩ−ＲＳパターンの設定は、１、２、４又は８個のアンテナポートについて定められる。これらの目的は、チャネル品質情報及び場合によっては他の関連パラメータをネットワークにフィードバックするための１より多いセルのチャネルの推定を（ＣＲＳを用いる場合よりも）向上させることである。時間及び周波数におけるＣＳＩ−ＲＳパターンは、それらを含むリソース要素（resource  element：ＲＥ）に渡り有意な柔軟性を許容するために、より高位のレイヤにより設定され得る。
【００１８】
将来のＣｏＭＰ（Coordinated  Multipoint）動作（以下を参照）をサポートするために、Ｒｅｌｅａｓｅ１０に準拠するＵＥは、自身のサービングセルに固有の複数のＣＳＩ−ＲＳパターンで設定され得る。
−１の設定では、ＵＥがＣＳＩ−ＲＳの非ゼロ送信電力を前提とする。
−ゼロ以上の設定では、ＵＥはゼロ送信電力を前提とする。
【００１９】
「ゼロ電力ＣＳＩ−ＲＳパターン」の目的は、そのように設定されたセルが、ＣｏＭＰシナリオで該セルが協調しているセルのＣＳＩ−ＲＳを含むＲＥで送信しないことを、ＵＥが安全に想定できることを保証することである。ＣｏＭＰはＬＴＥ  Ｒｅｌｅａｓｅ１０仕様書により直接サポートされないが、ゼロ電力ＣＳＩ−ＲＳの存在についての知識は、Ｒｅｌｅａｓｅ１０  ＵＥにより使用され、それらがＰＤＳＣＨを用いたデータ伝送に与え得る影響を軽減できる。
【００２０】
言及されるべきことに、ｅＮｏｄｅＢにチャネル情報を提供する参照信号、特にＵＥにより送信されるサウンディング参照信号（Sounding  Reference  Signal：ＳＲＳ）はアップリンクでも定められる。
【００２１】
ＵＥは、セル探索手順の実行に成功し、ネットワークと通信する前にセルとの同期を得なければならない。各セルは、ＬＴＥで定められる物理セル識別子（physical  layer  cell  identity：ＰＣＩ）５０４により識別される。これらは、それぞれ３つの物理レイヤ識別子を有する１６８個のユニークなセルレイヤ識別子グループで階層的に配置される。物理レイヤ識別子及び物理レイヤセル識別子グループを伝達するために、２つの信号が設けられる。つまり、１次及び２次同期信号（primary  synchronization  signal：ＰＳＳ及びsecondary  synchronization  signal：ＳＳＳ）である。参照により本願明細書に組み込まれる３ＧＰＰ  ＴＳ３６．２１１で定められるように、ＰＳＳは、３つの値（０、１、２）のうちの１つを指定してセルの物理レイヤ識別子を識別し、ＳＳＳは、１６８個のグループのうちセルが属する１つのグループを識別する。このように、ＰＳＳは３つの値のうちの１つを表すだけで良く、ＳＳＳは１６８個の値のうちの１つを表す。ＰＳＳはZadoff-Chuシーケンスに基づく６２ビット信号であり、ＳＳＳは、物理レイヤ識別子から得られるシーケンスを用いてスクランブルされた２つの３１ビットシーケンスの組合せを用いる。ＰＳＳとＳＳＳの両者は、全てのセルにより固定リソースで送信されるので、信号の範囲内にいる任意のＵＥにより検出できる。伝統的に、ＰＳＳとＳＳＳの各々は、フレーム当たり２回、言い換えると５ｍｓ周期で（したがって幾つかのサブフレーム毎にのみ）送信される。例えば、図５Ａ及び５Ｂに示すように、ＰＳＳとＳＳＳは両方とも、各フレームの第１及び第６サブフレームで送信される。図５Ａは、（通常のＣＰを用いた）ＦＤＤシステムの場合のＰＳＳ、ＳＳＳ及びＰＢＣＨの構造を示す。図５Ｂは、ＴＤＤの場合のＰＳＳ、ＳＳＳ及びＰＢＣＨの構造を示す。
【００２２】
ＰＳＳ及びＳＳＳの復号化の成功は、ＵＥがタイミングを得てセルを識別することを可能にする。１より多いアンテナポートを有するセルでは、ＰＳＳ及びＳＳＳが送信されるポートは、時間と共に変化しても良いが、それらは両方とも所与のサブフレームで同じポートから送信される。
【００２３】
一旦、ＵＥがセルのＰＳＳ及びＳＳＳを復号化すると、ＵＥは、セルの存在に気付き、前に参照されたＰＢＣＨ内のＭＩＢを復号化できる。図５Ａ及び５Ｂを比較することで分かるように、システムがＦＤＤ又はＴＤＤを用いるかに依存して、ＰＢＣＨは、第１のサブフレーム内のＰＳＳ及びＳＳＳの後続の又は先行するスロットを占める。同期信号ＳＳＳと同様に、ＰＢＣＨは、セル識別子に基づくシーケンスを用いてスクランブルされる。ＰＢＣＨはフレーム毎に送信され、それにより４個のフレームに渡りＭＩＢを伝達する。
【００２４】
次に、ＵＥは、セルの参照信号（ＲＳ）を測定したいと望む。現在のＬＴＥ  Ｒｅｌｅａｓｅでは、第１のステップは、共通参照信号（common  reference  signal：CRS）の位置を特定することである。ＣＲＳの周波数領域における位置は、ＰＣＩに依存する。次に、ＵＥは、ブロードキャストチャネル（ＰＢＣＨ）を復号化できる。さらに、ＵＥは、ＰＤＣＣＨを復号化し、制御信号を受信できる。特に、伝送モード９の場合には、ＵＥは、上述のＣＳＩ−ＲＳ（Channel  State  Information  RS）を用いて無線チャネルを測定する必要があっても良い。
【００２５】
セル間干渉は、例えば１つのセル内でＵＥにデータを送信するために利用される周波数リソース（つまり、キャリア及びサブキャリア）が隣接セル内で使用される周波数リソースと同一であるために、生じ得る。さらに、「隣接」セルは、例えばＨｏｍｅ  ｅＮｏｄｅＢが既存のマクロセル内に配置されるときのように（以下に説明する図７を参照）、実際には１つのセルが別のセルの範囲内に完全に存在していても良い。
【００２６】
ＭＩＭＯ技術は、複数の送信点又は基地局の間の送信の協調と組み合わせられて、このセル間干渉を除去又は低減しても良い。この協調は、協調セル（又は協調セル部分）の間のセル間干渉を低減又は除去でき、この結果、高データレートのカバレッジ及びシステム全体のスループットを有意に向上できる。しかしながら、この向上についてのトレードオフは、マルチセルラＭＩＭＯシステム内の送信の協調が、チャネル状態情報（ＣＳＩ）及びデータ情報が協調送信点の間で共有されることを要求することである。
【００２７】
このような協調マルチセルＭＩＭＯ送信／受信（協調マルチポイント送信／受信又はcoordinated  multi-point  transmission/reception：CoMPとも呼ばれる）は、高データレートのカバレッジ、セル端スループットを向上するために、及び／又はシステムスループットを増大させるために用いることができる。ＣｏＭＰで用いられるダウンリンクスキームは、「ＣＳ／ＣＢ（Coordinated  Scheduling及び／又はCoordinated  Beamforming）」及び「ＪＰ／ＪＴ（Joint  Processing/Joint  Transmission）」を含む。利用され得る更なる技術は、利用可能なピークデータレートを増大させ利用可能なスペクトル割り当てのより完全な利用を可能にするための、複数搬送波（ＣＡ）の集約である。
【００２８】
ＣＳ／ＣＢでは、単一UEのデータは１つの送信点から送信されるが、ユーザスケジューリング（つまり、個々のユーザ機器への送信タイミングのスケジューリング）に関する決定は、協調セル（又はセルセクタ）間の協調により行われる。言い換えると、スケジューリング／ビーム形成の決定は、協調スキームに参加するセル（又はセルセクタ）間の協調により行われ、可能な限り、単一のＵＥが１より多い送信点から信号を受信するのを防ぐようにする。
【００２９】
他方で、ＪＰ／ＪＴでは、単一のＵＥへのデータが、複数の送信点から同時に送信され、（コヒーレントに又は非コヒーレントに）受信信号品質を向上させ及び／又は他のＵＥに対する干渉を除去する。言い換えると、ＵＥは、複数のセル内で１より多い送信点と同時に活発に通信する。ＬＴＥに適用されるときのＣｏＭＰの更なる詳細は、参照により本願明細書に組み込まれる文献３ＧＰＰ  ＴＲ３６．８１４に記載されている。
【００３０】
ＣＡでは、同一ユーザ機器に供するために、離散周波数帯が同時に用いられ（集約され）、高い帯域幅要求（最大で１００ＭＨｚ）を有するサービスを提供可能にする。ＣＡは、ＬＴＥ−Ａの特徴であり、ＬＴＥ−Ａの可能な端末に、既存のＬＴＥ端末及び物理層との互換性を維持しながら、幾つかの周波数帯に同時にアクセス可能にする。ＣＡは、複数のセル間の協調を達成するためにＪＰに補足されると考えられる。相違点は、ＣＡは周波数領域で、ＪＰは時間領域で協調を必要とすることである。
【００３１】
図６Ａ及び６Ｂは、ＣｏＭＰで用いられるダウンリンク送信の上述の２つのカテゴリの動作原理を図解する。しかしながら、留意すべきことに、図面は、実際の無線通信システムにおける基地局対セルの真の分布を反映していない。特に、実際の無線通信システムでは、セルは、図示の六角形を越えて延在し、ある程度重なり合い、ＵＥが１より多い基地局の範囲内に同時に存在することを可能にする。さらに、例えばＬＴＥでは、通常別個のキャリア周波数を用いて、同じ基地局（ｅＮｏｄｅＢ）について複数の重なり合うセルを設けることが可能である。しかしながら、図６は、それぞれＣｏＭＰで用いられるＣＳ／ＣＢ及びＪＰダウンリンク送信スキームの原理を示す現在の目的には十分である。
【００３２】
ＪＰ（Joint  Processing）を図６Ａに示す。図６Ａでは、セルＡ、Ｂ及びＣは活発にＵＥへ送信し、一方でセルＤはセルＡ、Ｂ及びＣにより用いられる送信インターバル中は送信していない。
【００３３】
図５Ｂに協調スケジューリング及び／又は協調ビーム形成（ＣＳ／ＣＢ）を示す。図５Ｂでは、セルＢのみがＵＥへデータを送信し、一方でユーザスケジューリング／ビーム形成の決定は、セルＡ、Ｂ、Ｃ及びＤの間の協調により行われ、協調セル間の同一チャネルのセル間干渉が低減又は除去できる。
【００３４】
ＣｏＭＰの動作中、ＵＥは、チャネル状態情報をフィードバックする。チャネル状態情報は、詳述される場合が多く、チャネル状態／統計情報、狭帯域信号対干渉及び雑音比（Signal  to  Interference  plus  Noise  Ratio：SINR）のうちの１又は複数の測定を含む場合が多い。チャネル状態情報は、チャネル空間構造、並びにＵＥの好みの送信ランク及びプリコーディングマトリックスを含む他のチャネル関連パラメータに関する測定を含んでも良い。
【００３５】
上述のように、セルは、重なり合っても、より大きなセルの範囲内に完全に含まれても良い。これは、特に所謂異種ネットワークの場合に該当する。
【００３６】
図７は、マクロ基地局１０がマクロセルエリアＭＣをカバーする異種ネットワークの一部を図示する。ここで、ピコ基地局１２（ピコセルＰＣを形成する）及び種々のフェムト基地局１４（フェムトセルＦＣを形成する）により形成される他の重なり合うセルが存在する。図示のように、ＵＥ２０は、１又は複数のセルと、本例ではマクロセルＭＣ及びピコセルＰＣと同時に通信しても良い。セルは、同じ帯域幅を有しなくても良い。通常、マクロセルは各ピコ／フェムトセルよりも広い帯域幅を有する。
【００３７】
幾つかの定義は以下の通りである。
・異種ネットワーク：マクロ、ピコ、フェムト基地局のうちの１つより多くの混合をサポートし、及び／又は同じスペクトルで中継する配置。
・マクロ基地局：専用バックホールを用い及び公衆アクセスを開く従来の基地局。標準的に、送信電力〜４３ｄＢｍ、アンテナ利得〜１２−１５ｄＢｉ。
・ピコ基地局：専用バックホール接続を有し及び公衆アクセスを開く低能力基地局。標準的に、送信電力範囲〜２３ｄＢｍ−３０ｄＢｍ、アンテナ利得０−５ｄＢｉ。
・フェムト基地局：消費者の広帯域接続をバックホールとして利用する消費者が配置可能な基地局。フェムト基地局は関連付けが制限されても良い。標準的に、送信電力＜２３ｄＢｍ。
・リレー：バックホールとアクセスに同じ無線スペクトルを用いる基地局。ピコ基地局と同様の電力。
【００３８】
ＬＴＥでは、フェムト基地局の一例は、所謂Ｈｏｍｅ  ｅＮｏｄｅＢ又はＨｅＮＢである。
【００３９】
フェムト基地局（Ｈｏｍｅ  ｅＮｏｄｅＢ）のような局所的ネットワークカバレッジセルを有する基地局のネットワーク顧客による設置は、将来のＬＴＥの展開において広まると期待される。フェムト基地局又はピコ基地局は、例えばネットワーク加入者局がマクロセルとの伝送で高い経路損失を経験する建物内に設置され得る。フェムト又はピコ基地局は、顧客により顧客自身の設備内に設置できる。そのようにして形成されたフェムト及びピコセルは、ネットワークカバレッジを改善できるが、様々なセルの間の協調のためには、全てのフェムト及びピコセルがマクロセル（より正確には、図７のＭｅＮＢ）の制御下にあることが望ましい。このように組織化されるとき、ピコセルは、基地局自体のアンテナポートにより設けられる送信点に加えて、基地局の送信点であると考えられる。
【００４０】
以下で、オーバレイマクロセルのｅＮｏｄｅＢの制御下にあるピコセルの大規模集合の間でのＵＥ動作を検討する。さらに、全てのセル間の同期を前提とする。ＵＥがブロードキャストシグナリングからネットワークの構造に関する情報を得ることができる場合、ＵＥは、密度の高い複雑なマルチレイヤシナリオにおける多くの利用可能なリソースを説明する場合によっては膨大な量の高位レイヤシグナリングを受信する必要を有しないで、ネットワークと該ＵＥとの相互作用に関する決定を行うことができる。したがって、この情報を伝達するため既存のシグナリングをより効率的に使用するスキームは興味深い。このようなスキームは、単一のｅＮｏｄｅＢにより制御される同一セルの部分である地理的に分散したアンテナのシナリオにおいても興味深い。
【００４１】
本願明細書では、ピコセル及び異なる地理的場所にあるマクロセル内の異なるアンテナセットの両方は、送信点（Transmission  Points：TP）と称される。
【００４２】
現在、所与のセル又は複数のセルの動作及びそれらとのＵＥの相互作用に関するＵＥのための情報は、ＵＥが同期されるまで得ることができない。「同期される」は、ＵＥが、例えばＬＴＥにおける少なくとも１つのセルからの送信タイミング、ＯＦＤＭシンボルのタイミング、サブフレーム及び／又は無線フレームの少なくとも一部の詳細事項を知ることを意味する。ＰＳＳ及びＳＳＳのようなブロードキャスト信号が、ＵＥがセルの制御信号を受信でき該ＵＥが該セルに関する情報を早期に取得することを可能にする情報を含む場合、リソースはより効率的に使用され得る。
【発明の概要】
【発明が解決しようとする課題】
【００４３】
開示の実施形態は、無線通信システムで用いる送信方法、無線通信システム、基地局を提供する。
【課題を解決するための手段】
【００４４】
本発明の第１の態様によると、少なくとも２つの送信点を制御する基地局と少なくとも１つの端末とを有する無線通信システムで用いる送信方法であって、前記送信点の各々は、第１の信号をブロードキャストし、前記第１の信号は、所定の時間基準に対して時間領域内の個々の所定の位置を有する異なる前記送信点からブロードキャストされ、前記端末は、前記送信点のうちの少なくとも１つからブロードキャストされる前記第１の信号を受信し、前記端末により受信された前記第１の信号の前記時間領域内の個々の位置は、前記送信点のうちの少なくとも１つが送信する第２の信号の時間及び／又は周波数領域内の位置、送信点の１又は複数の特徴、のうちの少なくとも１つに関連する情報を前記端末に提供する、方法が提供される。
【００４５】
望ましくは、前記所定の時間基準について、前記システムにおける送信は、それぞれ複数のサブフレームを有するフレームの単位で構造化され、時間領域内の個々の位置は、個々のサブフレームであり、各送信点は、異なるサブフレームで前記第１の信号を送信する。
【００４６】
前記送信点は、前記基地局により提供されるマクロセルに属し、前記所定の時間基準は、前記マクロセルのフレームタイミングであっても良い。
【００４７】
時間領域内の個々の所定の位置は、送信点毎に異なっても良いが、これは必須ではない。
【００４８】
本発明の好適な実施形態では、第１の信号は同期信号である。特に、ＬＴＥ無線通信システムの場合には、同期信号は、１次及び／又は２次同期信号（ＰＳＳ／ＳＳＳ）であっても良い。
【００４９】
各送信点からの第１の信号の時間領域内の個々の位置は、通常、同じ送信点に関連する情報を提供するが、これは必須ではない。情報は異なる送信点に関連されることも可能である。
【００５０】
一実施形態では、各送信点からの第１の信号の時間領域内の個々の位置は、前記送信点からの前記第２の信号として送信される参照信号に関連する情報を提供する。ＬＴＥの場合には、これは例えばＣＳＩ−ＲＳを有し得る。より具体的には、情報は、前記参照信号のために用いられるリソース、及び／又は前記参照信号のゼロ電力パターンを示しても良い。
【００５１】
別の実施形態では、情報は、前記送信点が、ブロードキャスト信号とは異なる（ＬＴＥにおけるＰＢＣＨのような）ブロードキャストチャネルを送信するか否かを示す。
【００５２】
更なる実施形態では、情報は、送信点から送信されるブロードキャストチャネル情報と別の送信点に適用される（又は対応する）ブロードキャストチャネル情報との間の差を示す。他の送信点は、それ自体が該情報を送信する必要がない。このように、送信点がそのブロードキャストチャネルでブロードキャストする情報量を低減し、端末は失われた情報を別の送信点からのブロードキャストチャネルのような別の情報源から取得することが可能である。
【００５３】
更に別の実施形態では、前記送信点の１又は複数の特徴に関連する情報は、前記端末から送信される参照信号のために用いられる前記送信点により期待されるサブフレーム構成を示す。このように、送信点により期待される、信号の特徴を指定する情報が端末により送信されることが可能である。
【００５４】
上述のように１つの「第１の信号」が情報を端末に伝達するために用いられても良いが、複数の第１の信号の組合せにより情報を伝達することも可能である。したがって、更なる実施形態では、少なくとも第１及び第２の前記送信点から送信される前記第１の信号の時間領域内の個々の位置の組合せは、必ずしも前記端末が前記第１の信号を受信した送信点ではない第３の送信点が送信し得る信号の時間及び／又は周波数領域内の位置、前記第３の送信点の１又は複数の特徴、のうちの少なくとも１つに関連する情報を前記端末に提供する。
【００５５】
上述の実施形態のうちの任意の実施形態で、少なくとも２つの別の種類の第１の信号は、各送信点からブロードキャストされ、この場合、前記情報は、第１の信号の各種類の存在又は不存在により、並びに各種類の第１の信号の時間領域内の個々の位置により、少なくとも部分的に提供される。ＬＴＥの場合、異なる種類の信号は、ＰＳＳ及びＳＳＳであっても良い。言い換えると、ＰＳＳ又はＳＳＳの一方又は両方の存在又は不存在は、端末に情報を伝達しても良い。
【００５６】
更なる実施形態では、前記送信点の１又は複数の特徴に関連する情報は、前記端末からの送信を受信するための前記送信点における固有リソースの利用可能性を示す。ＬＴＥの場合、本実施形態は、例えば、送信点が端末からＢＳＲを受信するために特定のリソースを予約したことを、端末に知らせるために用いることができる。
【００５７】
更に別の実施形態では、情報は、同一の送信点により送信されている、第１の信号を送信するために用いられる周波数帯とは異なる別の周波数帯を示す。
【００５８】
上述の任意の方法において、前記基地局は、少なくとも１つのアンテナシステムを制御し、前記送信点は、同じアンテナシステムの異なるアンテナポートを有することが可能である。
【００５９】
本発明の第２の態様によると、少なくとも２つの送信点を制御する基地局と少なくとも１つの端末とを有する無線通信システムであって、前記送信点の各々は、第１の信号をブロードキャストするよう構成され、前記第１の信号は、所定の時間基準に対して時間領域内の個々の所定の位置を有する異なる前記送信点からブロードキャストされ、前記端末は、前記送信点からブロードキャストされる前記第１の信号を受信するよう構成され、前記端末により受信された前記第１の信号の時間領域内の個々の位置は、前記送信点のうちの少なくとも１つが送信する第２の信号の時間及び／又は周波数領域内の位置、送信点の１又は複数の特徴、のうちの少なくとも１つに関連する情報を前記端末に提供する、無線通信システムが提供される。
【００６０】
本発明の第３の態様によると、送信点の範囲内にある端末に信号を送信する少なくとも２つの前記送信点を制御する基地局であって、前記基地局は、第１の信号をブロードキャストするために前記送信点を制御するよう構成され、前記第１の信号は、所定の時間基準に対して時間領域内の個々の所定の位置を有する異なる前記送信点からブロードキャストされ、前記端末により受信される前記第１の信号の時間領域内の個々の位置は、前記送信点のうちの少なくとも１つが送信する第２の信号の時間及び／又は周波数領域内の位置、送信点の１又は複数の特徴、のうちの少なくとも１つに関連する情報を前記端末に提供する、基地局が提供される。
【００６１】
本発明の追加の態様は、上述の任意の送信方法で用いられるよう構成される端末を提供する。
【００６２】
更なる態様は、プロセッサを備えた無線通信機器に上述の端末又は基地局を提供させるソフトウェアに関連する。上記ソフトウェアは、コンピュータ可読媒体に記録されても良い。
【００６３】
本章及び請求の範囲を通じて、用語「セル」はサブセルも含むことが意図される。
【００６４】
本発明の実施形態は、セル／ＴＰが自身の１次（primary）及び２次（secondary）同期シーケンス（synchronization  sequence）（ＰＳＳ及び／又はＳＳＳ）を送信するサブフレームにのみ基づき又は実質的にそれに基づき、セル固有又は送信点（ＴＰ）固有情報をＵＥに提供する新しい方法を提供する。対象の基本的シナリオは、オーバレイマクロセルのｅＮｏｄｅＢの制御下にあるピコセル／ＴＰの高密度展開である。ＰＳＳ／ＳＳＳが送信されるアンテナポートはサブフレームにより変化し得るので、本発明は、ＰＳＳ及び／又はＳＳＳを送信するピコセル／ＴＰに関連する（ゼロ電力ＣＳＩ−ＲＳのような）特定の情報を特定のＰＳＳ／ＳＳＳ及びサブフレームの組合せに関連付ける。関連付けのテーブルはマクロセルｅＮｏｄｅＢからのシグナリングにより提供され、関連付けられている情報は、追加シグナリングを必要としないで、ＵＥにより、該ＵＥが範囲内にあるピコセル／ＴＰから得られる。
【００６５】
概して、特に明確な意図がない限り、本発明の一実施形態に関して記載された特徴は、任意の他の実施形態に等しく適用され、任意の他の実施形態との組合せが本願明細書に明示的に言及又は記載されていない場合でも、任意の他の実施形態と組み合わせられても良い。
【００６６】
前述の説明から明らかなように、本発明は、無線通信システム内の基地局及びユーザ機器間の信号送信を包含する。基地局は、上記の信号を送信及び受信するのに適した任意の形式を取り得る。基地局は、標準的に３ＧＰＰ  ＬＴＥ及び３ＧＰＰ  ＬＴＥ−Ａ規格群での実装のために提案された形式を取り、したがって異なる状況で適切な場合、ｅＮｏｄｅＢ（ｅＮＢ）（この用語はHome  eNodeB又はHome  eNodeBも包含する）として記載され得る。しかしながら、本発明の機能的要件に従って、一部の又は全部の基地局は、ユーザ機器に信号を送信及びそれから受信するのに、及びフィードバックされたチャネル状態情報に基づきユーザ機器への送信のために信号を適応するのに適した他の形式をとっても良い。
【００６７】
同様に、本発明では、各ユーザ機器は、信号を送信し及び基地局から受信するのに適した任意の形式を取り得る。例えば、ユーザ機器は、加入者局（ＳＳ）若しくは移動局（ＭＳ）の形式、又は任意の他の適切な固定位置若しくは移動可能な形態を取っても良い。本発明を視覚化する目的で、ユーザ機器をモバイル端末として想像することは都合が良い（また、多くの例では、ユーザ機器の少なくとも幾つかは、モバイル端末を有する）。しかしながら、これはいかなる限定も意味しない。
【図面の簡単な説明】
【００６８】
単に例として、添付の図面を参照する。
【図１】ＬＴＥで用いられる一般的なフレーム構造を示す。
【図２】ダウンリンクサブフレーム内のリソースブロック（ＲＢ）及びリソースエレメント（ＲＥ）を示す。
【図３】ＬＴＥにおける論理チャネル、トランスポートチャネル及び物理チャンネルの間のマッピングを示す。
【図４】ダウンリンクサブフレーム内の参照信号の１つの挿入パターンを示す。
【図５Ａ】ＦＤＤに基づくＬＴＥシステムの場合の、同期信号とブロードキャストチャネルのスロット及びサブフレーム割り当てを示す。
【図５Ｂ】ＴＤＤに基づくＬＴＥシステムの場合の、同期信号とブロードキャストチャネルのスロット及びサブフレーム割り当てを示す。
【図６Ａ】ＣｏＭＰで用いられるＪＰ（joint  processing）ダウンリンク送信を図示する。
【図６Ｂ】ＣｏＭＰで用いられるＣＳ／ＣＢ（coordinated  scheduling  and/or  beamforming）ダウンリンク送信を図示する。
【図７】マクロセル、ピコ及びフェムトセルが重なり合う異種ネットワークを図示する。
【図８】本発明を実施する方法に関連する主なステップのフローチャートである。
【発明を実施するための形態】
【００６９】
従来ＬＴＥでは、ＰＳＳ及びＳＳＳは、（ネットワークがＦＤＤかＴＤＤであるかにのみ依存して）１つの無線フレーム内の同じ２つのサブフレームで常に送信されている。しかしながら、ＬＴＥ仕様は、基地局（又はマクロセル）が異なるサブフレームで異なるアンテナポートからＰＳＳ及びＳＳＳを送信することを既に認めている。言い換えると、どのアンテナポートＰＳＳ及びＳＳＳを送信するかは、時間スイッチアンテナダイバーシティからの利益を得るために、それらの送信毎に変更できる。上述のように、アンテナポートは、より一般的には基地局の送信点として考えられ、基地局に関連付けられたピコセルも送信点として考えられる。したがって、用語「送信点」は、以後、両者を含むよう用いられる。
【００７０】
本発明の実施形態の原理は、送信点に関する情報（又は場合によっては、異なる送信点）を、該送信点がＰＳＳ及び／又はＳＳＳ（以後、ＰＳＳ／ＳＳＳと記載する）を送信するときに関連付けることである。本発明は、単一のマクロセルの通常の協調下にある地理的に分散した送信点（transmission  point：TP）の大規模集合の場合における適用を主に想定する。本発明は、オーバレイマクロセルｅＮｏｄｅＢにより制御されるピコセルに対応するＴＰにも適用され得る。
【００７１】
このシナリオでは、各送信点は、異なるサブフレームでＰＳＳ／ＳＳＳを送信するよう配置されるので、ＰＳＳ／ＳＳＳは、各送信点から順に送信される。上述の原理は、ｅＮＢの制御を可能にし、特定のＰＳＳ／ＳＳＳが送信されるサブフレームと対応する送信点（ピコセル及び／又はアンテナポート）に関する特定の情報との間の関連づけをＵＥに提供する。ＬＴＥ仕様は異なるサブフレームで異なるアンテナポートからＰＳＳ及びＳＳＳを送信することを既に認めているので、上述の原理は、仕様の変更を必要としないで適用できる。
【００７２】
送信点は、ＰＳＳ／ＳＳＳが検出されるサブフレームに基づき、ＵＥにより識別できる。所与の送信点の近くのＵＥは、通常、該送信点からＰＳＳ／ＳＳＳを受信するだけなので、ＵＥから見ると、送信点同士が十分に離れている場合、他のサブフレームで他の送信点から送信されるＰＳＳ／ＳＳＳは該ＵＥにより受信されないので、ＰＳＳ／ＳＳＳは単に通常提示されるサブフレームの幾つかの中で送信されるように見える。しかしながら、通常、ＵＥは１より多い送信点からＰＳＳ／ＳＳＳを受信できると仮定する。
【００７３】
例えば、ＣＳＩ−ＲＳリソースを特定のＰＳＳ／ＳＳＳサブフレームの組と関連付ける例では、これは、ＵＥがチャネル測定を行うべきＣＳＩ−ＲＳリソースをＵＥに決定させる。これは、送信点及び／又はピコアンテナセルが、それらの存在をＵＥに動的に示し、それらがネットワーク構造についての特定のＵＥの知識又は想定に動的に含まれる（除外される）ことも可能にする。この新しい能力は、主として、通常常に送信される既存の物理レイヤシグナリングにより可能にされ、幾つかの実施形態では高位レイヤのシグナリング負荷を軽減する機会を提供する。
【００７４】
本発明は、古いリリースのＵＥとの後方互換性のある方法で用いることができる。例えば、同じＰＳＳ／ＳＳＳが異なるサブフレームで送信される場合、これらの信号を検出したレガシーＵＥは、それらが同じセルから生じたと推測し得る。異なるＰＳＳ／ＳＳＳが異なるサブフレームで送信される場合、これらの信号を検出したレガシーＵＥは、それらが異なるセルから生じたと推測し得る。
【００７５】
図８は、本発明により提案されるスキームの概略を示すフローチャートである。通常、上述の実施形態を実施する処理は、以下のように表すことができる。
【００７６】
ステップ１0１：ＵＥは、セル探索及びマクロセルの取得手順を実行する。
【００７７】
ステップ１0２：ＵＥは、ＭｅＮＢから、本実施形態に関連する情報、ＰＳＳ／ＳＳＳ−サブフレーム関連付けに関する情報を受信する。
【００７８】
ステップ１0３：特定の後の時間で、ＵＥは、ＭｅＮＢにより管理されるフェムト又はピコセルへの参加を試みる。そうするために、ＵＥは、少なくとも１つのＴＰからのＰＳＳ／ＳＳＳを検出する。
【００７９】
ステップ１0４：同期を目的としてＰＳＳ／ＳＳＳを復号化するのに加えて、ＵＥは、少なくともＰＳＳ／ＳＳＳが検出されたサブフレームから情報を引き出す。
【００８０】
本発明の幾つかの特定の実施形態を以下に説明する。
【００８１】
通常、特に示されない限り、以下に記載する実施形態はＬＴＥに基づき、該ＬＴＥでは、ネットワークがＦＤＤ又はＴＤＤを用いて動作し、１又は複数のｅＮｏｄｅＢを有し、各ｅＮｏｄｅＢは１又は複数のダウンリンクセルを制御し、少なくとも１つのダウンリンクセルは対応するアップリンクセルを有する。各ＤＬセルは、該サービングセル内で送信される信号を受信し復号化し得る１以上の端末（ＵＥ）に供する。
【００８２】
上述のように、各セルは、多数の信号及びチャネルを全てのＵＥへ、それらＵＥがセルにより供されているか否かにかかわらず、ブロードキャストで送信する。つまり、ＰＳＳ、ＳＳＳ及びＰＢＣＨである。これらは、タイミング情報、ＰＣＩ、及びセルに共通の他の基本的システム情報を伝達する。他の情報は、セルにより供されているＵＥへＰＤＣＣＨを含むチャネルで送信される。ＰＤＣＣＨメッセージは、標準的に、データ送信が（ＰＵＳＣＨを用いて）アップリンクで又は（ＰＤＳＣＨを用いて）ダウンリンクであるかを示し、送信リソース、並びに送信モード、アンテナポート数、データレート、有効コードワード数のような他の情報も示す。さらに、ＰＤＣＣＨは、ＤＬ送信の復調のための位相基準を引き出すためにどの参照信号が用いられるかも示しても良い。異なるアンテナポートだが同じ位置を占める参照信号は、異なる拡散符号により区別される。
【００８３】
通常、セルＩＤ（ＰＣＩ）は、ＰＳＳ及びＳＳＳにより使用されるシーケンスの組合せにより示される。しかしながら、以下の実施形態は、ＰＳＳ又はＳＳＳ又はそれら両方を受信するＵＥに基づくことが理解される。
【００８４】
＜第１の実施例：ＣＳＩ−ＲＳリソース識別情報＞
第１の実施形態では、１つのマクロセルｅＮＢ（ＭｅＮＢ）、及びそれぞれＭｅＮＢの制御下の少なくとも１つのアンテナポート（ＡＰ）を有する複数の送信点（ＴＰ）が存在する。ＵＥは、マクロセルを取得することによりネットワークに参加したと仮定する。
【００８５】
ＴＰは、一連のサブフレームに渡り順にＰＳＳ／ＳＳＳを連続的に送信する。所与のサブフレーム内のＰＳＳ／ＳＳＳと送信点との間の関連付け、及びＣＳＩ−ＲＳリソースとの対応する関連付けは、（例えば、高位レイヤシグナリングにより）ＵＥに示される。したがって、ＵＥが特定のＰＳＳ／ＳＳＳを検出したサブフレームは、ＵＥがそのＴＰについてＣＳＩ−ＲＳを測定すべきリソースを示すために用いられる。
【００８６】
ＵＥが所与のサブフレームで異なる送信点から複数のＰＳＳ／ＳＳＳを検出できる場合、該ＵＥは例えば以下により示されるＣＳＩ−ＲＳを測定できる。
・検出した最強ＰＳＳ／ＳＳＳのみ、
・任意の数の検出したＰＳＳ／ＳＳＳ、
・ＭｅＮＢからの高位レイヤシグナリングにより別個に示されたＴＰのみ。
【００８７】
マクロセルの外側から送信されたＰＳＳ／ＳＳＳは、マクロセルに同期されないので、ＵＥには干渉として見える。ＰＳＳ／ＳＳＳサブフレームのＣＳＩ−ＲＳリソースとの関連付けは、ＭｅＮＢからのシグナリングにより、又はシステム仕様で提供され得る。この関連付けは、セル固有又はＵＥ固有であり得る。ＵＥ固有である場合、異なるＵＥは、同じＴＰからの異なるＣＳＩ−ＲＳリソースを測定するよう指示される。一方、セル固有である場合、異なるＵＥは全て同じＣＳＩ−ＲＳを測定する。
【００８８】
本実施形態の変形では、各ＴＰはピコセルに対応し、サブフレームの関連付けはどのピコセルについてＵＥがＣＳＩ−ＲＳを測定すべきかを示す。これは、送信点又はピコセルの構造化されていない集合が存在する状況で有用である。
【００８９】
本実施形態の変形では、サブフレームの関連付けは、代わりに、ＵＥがどのＣＳＩ−ＲＳを測定すべきかを示す。
【００９０】
＜第２の実施形態：ＣＳＩ−ＲＳゼロ電力パターン識別情報＞
ＣｏＭＰシナリオ（上述した）では、ＵＥは、ゼロ電力及び非ゼロ電力ＣＳＩ−ＲＳパターンの両方を知ることが重要である。ＬＴＥのＲｅｌｅａｓｅ１０では、３２個のＣＳＩ−ＲＳ構成と１６個のゼロ電力パターンが存在する。
【００９１】
したがって、第２の実施形態では、ＰＳＳ／ＳＳＳ−サブフレーム関連付けは、ＴＰとの関連付けで用いられるゼロ電力ＣＳＩ−ＲＳパターンを示す。その他の点で、第２の実施形態は第１の実施形態と同じである。
【００９２】
＜第３の実施形態：ＰＢＣＨ可用性＞
第３の実施形態は、第１の実施形態と似ているが、特に、ＰＳＳ／ＳＳＳ−サブフレーム関連付けが、本例ではピコセルを表す関連ＴＰがＰＢＣＨを送信しないことを示す点が異なる。代わりに、ピコセルのＰＢＣＨから得られる情報、言い換えるとＭＩＢ（上述した）は、幾つかの他の手段により得られる。
【００９３】
１つの変形では、このピコセル情報は、ＭｅＮＢについての情報と同じであり、ＭｅＮＢのＰＢＣＨを復号化することにより得られる。これは、ピコセルからＰＢＣＨを送信する必要を回避し、マクロオーバレイによる高密度ピコセル環境においてピコからマクロへのＰＢＣＨ干渉及びピコ間ＰＢＣＨ干渉の両方を低減する。明らかに、本実施形態は、ＰＢＣＨで伝達される情報がマクロセルと参加しているピコセルの間で共通である場合に適用可能である。
【００９４】
別の変形では、ＭＩＢの内容は、ＭｅＮＢからの高位レイヤシグナリングによりＵＥに提供される。本例では、情報は、ＰＳＳ／ＳＳＳ−サブフレームの組合せ毎に異なり得る。ＰＳＳ／ＳＳＳは、ピコセルのＭＩＢがマクロセルＭＩＢから得られるべきであることを示しても良い。或いは、代替で、ＰＳＳ／ＳＳＳは、ピコセルＭＩＢが存在しないことを示しても良い。
【００９５】
更なる変形では、一部の情報はマクロセルＰＢＣＨの場合と同じであり、一部の情報は異なると、ＵＥにより想定され得る。
【００９６】
＜第４の実施形態：異なるＰＢＣＨ指示＞
第４の実施形態は、第３の実施形態と似ているが、ピコセルがＰＢＣＨにより送信されるべき情報において幾つかの相違点を有する点が異なる。本例では、ピコセルのＰＳＳ／ＳＳＳ−サブフレーム関連付けは、ＵＥにより解釈されるべきＢＣＨ情報における相違点も示す。例えば、ＰＳＳ／ＳＳＳ−サブフレーム関連付けは、全ての情報がマクロセルとピコＢＣＨとの間で同じであることを、ピコセルでは特定の他の値を取るＰＨＩＣＨサイズの指示とは別に、示し得る。
【００９７】
このように、第１の送信点からのブロードキャスト情報と、第２の送信点に適用可能なブロードキャスト情報との間の相違点を示すことが可能であり、第２の送信点は、必ずしもブロードキャストチャネルを送信する必要がない。
【００９８】
システム仕様は、ＰＳＳ／ＳＳＳ−サブフレーム関連付けをＰＢＣＨコンテンツの固有差にリンク付けする１又は複数のテーブルを有するよう拡張可能である。
【００９９】
＜第５の実施形態：ＳＲＳ＞
上述のように、ＳＲＳはアップリンク参照信号である。第５の実施形態は、第１の実施形態と似ているが、ＰＳＳ／ＳＳＳ−サブフレーム関連付けがＴＰの（又は本例ではピコセルの）ＳＲＳサブフレーム構成パラメータを、言い換えるとＴＰ／ピコセルがＳＲＳを受信することを期待しているサブフレームパターンを示す点が異なる。１６個のこのような構成は、現在、ＬＴＥで定められている（先に参照した３ＧＰＰ  ＴＳ３６．２１１を参照）。
【０１００】
本実施形態の変形では、関連付けは、代わりに、ピコセルによりサポートされる最大ＳＲＳ帯域幅を示す。
【０１０１】
＜第６の実施形態：ＴＳに跨るＰＳＳ／ＳＳＳ−サブフレーム関連付け＞
第６の実施形態では、１より多いＰＳＳ／ＳＳＳ−サブフレーム関連付けの共同セットが、上述の実施形態のうちの１又は複数に関連する情報を伝達する。これにより、ＵＥは、ＰＳＳ／ＳＳＳを含むより少数のサブフレームを復号化すれば良いが、復号化を試みていないＰＳＳ／ＳＳＳを有するＴＰに関する情報を依然として得ることができる。ＴＰ１からサブフレーム１で第１のＰＳＳ／ＳＳＳを、ＴＰ２からサブフレーム２で第２のＰＳＳ／ＳＳＳを受信することは、（ｉ）ＴＰ１に関する情報、及び（ｉｉ）ＴＰ２に関する情報、及び／又はＴＰの関連付けをサブフレームにリンク付けすることにより、（ｉｉｉ）第３のＴＰに関する情報を暗示できる。これは、一方の軸がＴＰ１＋サブフレーム１からのＰＳＳ／ＳＳＳであり、他方の軸がＴＰ２＋サブフレーム２からのＰＳＳ／ＳＳＳであり、第３のＴＰに関する情報が２者の交点で提供される、ルックアップテーブルを設けることにより達成できる。
【０１０２】
例えばＣＳＩ−ＲＳを伝達されるべき情報と考えると、ＵＥがＣＳＩ−ＲＳパターン１を意味し得るＴＰ１＋サブフレーム１からのＰＳＳ／ＳＳＳ、ＣＳＩ−ＲＳパターン２を意味し得るＴＰ２＋サブフレーム２からのＰＳＳ／ＳＳＳを受信する場合、ＵＥは、ＴＰ３が前者２つにのみ依存するＣＳＩ−ＲＳを送信する（例えばそのように構成されている）と推測できる。
【０１０３】
＜第７の実施形態：単一の同期信号送信＞
上述のように、従来、ＰＳＳ及びＳＳＳの両者は、常に同じサブフレーム内で送信されてる。第７の実施形態では、この従来の構成の代わりに、ＵＥは、特定のサブフレーム内で、ＰＳＳ又はＳＳＳ又は両者を受信しても良く或いはいずれも受信しなくても良く、組合せは前述の実施形態に従い情報を伝達する。これは、所与のサブフレーム内で４つの可能なシグナリング状態を提供する。
【０１０４】
変形では、１つの特定のサブフレーム内でＰＳＳのみを、及び別のサブフレーム内でＳＳＳのみを受信する共同の組合せは、情報を伝達する。
【０１０５】
留意すべきことに、先の実施形態と異なり、本実施形態は、同期化シーケンスについてのＬＴＥ仕様の変更を含み得る。さらに、通常、ＰＳＳ及びＳＳＳの両者はＰＣＩを引き出すためにＵＥにより必要とされるので、代替のメカニズムが必要である。例えば、ＵＥは異なるサブフレームからのＰＳＳ及びＳＳＳを用い、又は（ＰＳＳ及びＳＳＳに加えて又はそれに代えて）ＰＣＩ全体を伝達する新しい種類の同期化シーケンスが用いられ得る。代替で、ＵＥは、ＰＳＳのみを受信する場合、ＳＳＳの規定値を取るよう構成されても良い。逆も同様である。
【０１０６】
＜第８の実施形態：リソース予約指示＞
第８の実施形態では、ネットワーク又はＭｅＮＢからのＵＥ固有構成は、ＵＥに特定のＴＰをＰＳＳ／ＳＳＳ−サブフレーム関連付けとして認識するよう指示する。ＰＳＳ／ＳＳＳ−サブフレーム関連付けは、ＴＰが幾つかの固有ＵＬリソースをＵＥのために特定の所与の時間量の間予約することを示す。ここで、固有リソースは、指示の一部として識別される。
【０１０７】
本実施形態の変形では、ＰＳＳ／ＳＳＳ−サブフレーム関連付けは、幾つかの特定のセル固有ＵＬリソースが特定の目的のために任意のＵＥによる使用のために、時間制限を有し又は有しないで予約されることを示す。
【０１０８】
この例は、ＳＲ手順を実行する必要を有しないで、UEがＢＳＲをＴＰへ送信できるために十分なＰＵＳＣＨリソースを予約することの約束である。バッファ状態報告手順は、サービングｅＮｏｄｅＢに、ＵＥのアップリンクバッファ内の送信に利用可能なデータの量に関する情報を提供するために用いられる。
【０１０９】
本実施形態の別の変形では、固有ＵＬリソースは、任意の送信点に関連付けられるが、必ずしもＰＳＳ／ＳＳＳが受信された送信点にではない。本例では、ＰＳＳ／ＳＳＳ−サブフレーム関連付けは、どのＴＰが予約に関連するか、どのＴＰが送信しているＴＰと異なるかを示し得る。
【０１１０】
この予約は、ＭｅＮＢからＵＥ固有構成を変更することにより、変更する（又は取り消す）ことができる。
【０１１１】
本実施形態は、ＭＴＣ装置の環境で用い、出願人の共に係属中の国際特許出願、参照番号１１−５２８２４ＦＬＥに記載された発明を拡張して、ＰＳＳ／ＳＳＳ−サブフレーム構成の検出に基づきＲＡＣＨリソースの予約を示すことができる。
【０１１２】
＜第９の実施形態：周波数帯指示＞
第９の実施形態は、第１の実施形態と似ているが、ＰＳＳ／ＳＳＳ−サブフレーム関連付けが、関連するＰＳＳ／ＳＳＳを送信しているのと同じ送信点により送信されている別の周波数帯（つまり、キャリア）に関する情報を示す点が異なる。この情報は、通常、無線リソース構成（radio  resource  configuration：RRC）情報を含み、ＵＥに他のキャリアへのアクセス、測定、等をさせ得る。
【０１１３】
纏めると、本発明の実施形態は、セル／ＴＰが自身の１次（primary）及び２次（secondary）同期シーケンス（synchronization  sequence）（ＰＳＳ、ＳＳＳ）を送信するサブフレームにのみ基づき又は実質的にそれに基づき、セル固有又は送信点（ＴＰ）固有情報をＵＥに提供する新しい方法を提供する。対象の基本的シナリオは、オーバレイマクロセルのｅＮｏｄｅＢの制御下にあるピコセル／ＴＰの高密度展開である。ＰＳＳ／ＳＳＳが送信されるアンテナポートはサブフレームにより変化し得るので、本発明は、ＰＳＳ／ＳＳＳを送信するピコセル／ＴＰに関連する（ゼロ電力ＣＳＩ−ＲＳのような）特定の情報を特定のＰＳＳ／ＳＳＳ及びサブフレームの組合せに関連付ける。関連付けのテーブルはマクロセルｅＮｏｄｅＢからのシグナリングにより提供され、関連付けられている情報は、追加シグナリングを必要としないで、ＵＥにより、該ＵＥが範囲内にあるピコセル／ＴＰから得られる。
【０１１４】
本発明の範囲内で種々の変更が可能である。
【０１１５】
本発明は、ＬＴＥ  ＦＤＤを参照して記載されたが、ＬＴＥ  ＴＤＤ及びＵＭＴＳのような他の通信システムにも適用可能である。
【０１１６】
以上では、「セル」を参照したが、これらは基地局又は送信点に１対１に対応する必要はない。ダウンリンク及びアップリンクで異なるセルが定められても良い。複数のセルは、同じ送信点により設けられても良い。したがって、用語「セル」が、広義に、例えばサブセル又はセルセクタを含むと解釈されるべきである。
【０１１７】
実施形態は説明のためにマクロセル及びピコアンテナポートを参照したが、これは、本発明が適用可能なネットワーク構造を制限するものではない。
【０１１８】
実施形態は現在のＰＳＳ及びＳＳＳを参照したが、これは、これらのシーケンスの数、種類、又はリソース割り当てを変更する将来の仕様変更への本発明の適用可能性を制限しない。ＰＳＳ及びＳＳＳの両者は本発明の実施形態に従って送信され得るが、上述の第７の実施形態から明らかなように、本発明では、常に同じサブフレームでＰＳＳ及びＳＳＳの両者を送信する必要はない。したがって、本願明細書で用いられる用語「ＰＳＳ／ＳＳＳ」は、特に定めない限り、「ＰＳＳ及び／又はＳＳＳ」を意味すると理解されるべきである。
【０１１９】
上述のように、本発明の実施形態の基本原理は、ＬＴＥ仕様変更を必要としない。しかしながら、１つの可能性のある仕様変更は、特定のサブフレームでの特定のアンテナポートからのＰＳＳ／ＳＳＳの送信の構成を導入することであり得る。また、第７の実施形態の目的のために、上述のように、ＰＳＳ及びＳＳＳの両者をサブフレームでではなく、ＰＳＳ及びＳＳＳを個々に送信できるように、又は全く送信しないようにする必要があり得る。
【０１２０】
留意すべきことに、実施形態、及び特に第７の実施形態は、ＰＳＳ及びＳＳＳを有する実際のシーケンスを生成するために波形を明示的に復号化することが必要なのではなく、特定のＰＳＳ及び／又はＳＳＳ波形の検出にのみ依存し得る。したがって、例えば第７の実施形態では、情報は、ＰＳＳ及びＳＳＳの内容によってではなく（ＰＳＳ及びＳＳＳのうちの一方のみの場合には、それ自体でＰＣＩを決定できない）、ＰＳＳ及びＳＳＳの一方又は両方が送信される又はいずれも送信されないサブフレームにより伝達される。
【０１２１】
上述の実施形態は、通常組合せられ、特定のＴＰからのＰＳＳ／ＳＳＳのサブフレームとの関連付けが１より多い実施形態による情報を示すことができるようにされても良い。例えば、該情報は、ＣＳＩ−ＲＳリソースとＴＰからのゼロ電力ＣＳＩ−ＲＳパターンの両方を示し得る。ルックアップテーブルがＵＥに格納され、異なる種類の情報を組み合わせで伝達させても良い。
【０１２２】
以上にＬＴＥ及びＬＴＥ−Ａに関して説明したが、本発明は、他の種類の無線通信システムにも適用できる。したがって、請求項中の「端末」についての言及は、あらゆる種類の加入者局、モバイル端末、等を包含することを意図し、ＬＴＥのＵＥに限定されない。
【０１２３】
上述の本発明の実施形態の態様の何れにおいても、種々の特徴は、ハードウェアで、又は１若しくは複数のプロセッサで動作するソフトウェアモジュールとして実施されても良い。ある態様の特徴は、他の態様の特徴に適用されても良い。
【０１２４】
本発明は、上述の任意の方法を実行するコンピュータプログラム又はコンピュータプログラムプロダクト、及び上述の任意の方法を実行するプログラムを格納しているコンピュータ可読媒体も提供する。
【０１２５】
本発明を実施するコンピュータプログラムは、コンピュータ可読媒体に格納されてもよい。或いは、例えば、インターネットウェブサイトから提供されるダウンロード可能なデータ信号のような信号形式又は任意の他の形式であってもよい。
【０１２６】
明らかに理解されるべきことに、請求の範囲から逸脱することなく、上述の特定の実施形態に種々の変化及び／又は変更が行われ得る。
【０１２７】
セル固有又はＴＰ固有情報をＰＳＳ／ＳＳＳ−サブフレーム関連付けにより暗示させることにより、ネットワークは、ＵＥへの追加シグナリングを有しないで自身を動的に再構成でき、ＵＥのネットワーク構造についての知識は、幾つかの単純なブロードキャスト信号の検出可能性により制御され又は制限される。幾つかの実施形態では、セル及びブロードキャストチャネルのマクロ／ピコレイヤ間の干渉を低減させ、上述の異種ネットワークシナリオにおける重要な改良を可能にする。また、ＵＥは、該ＵＥが受信したＰＳＳ／ＳＳＳのサブフレームタイミング、例えばＣＳＩ−ＲＳの構成から、近隣セル／送信点に関する情報を自動的に識別できる。
【図１】
0005943094.tif 000002
【図２】
0005943094.tif 000003
【図３】
0005943094.tif 000004
【図４】
0005943094.tif 000005
【図５Ａ】
0005943094.tif 000006
【図５Ｂ】
0005943094.tif 000007
【図６Ａ】
0005943094.tif 000008
【図６Ｂ】
0005943094.tif 000009
【図７】
0005943094.tif 000010
【図８】
0005943094.tif 000011